(57)【要約】【課題】    画像の高精細化によって高度化しつつあるデジタル信号による画像処理装置の処理内容の検証を容易にして、画像処理を補完する手段を提供する。【解決手段】同一モニター上に第一のウィンドウと第二のウィンドウを表示して、第一のウィンドウの表示画像上には水平同期信号と垂直同期信号に同期して描画される緯度線と経度線を色分けして描画、第二のウィンドウには表示画像に対応するデジタル画像データのＸ方向及びＹ方向のタイミング波形チャート、すなわち、同期信号チャート、、ラインデータ・チャート、ピクセル・クロック・チャート、画素データ・チャートを表示して、並列表示されたチャートを跨線するよう、緯度線と経度線の交点画素情報に連動し、緯度線と経度線と同一色によって色分けされたカーソルを表示して、表示画像と、表示画像を描画する画像データのＸ、Ｙ方向のタイミング波形データを構成するチャートの相関位置を同一モニター上で確認する。【選択図】図２
2008109600.tif 000002
【特許請求の範囲】
【請求項１】
同一のモニター上に第一のウィンドウと第二のウィンドウを同時に表示し、
第一のウィンドウには、外部から入力、あるいは保存されたデジタル信号によって描画される表示画像を表示し、
第二のウィンドウには、第一のウィンドウに表示された表示画像に対応するデジタル信号による画像データ、すなわち、
垂直同期信号による水平ライン画素データすなわち、Ｘ方向のタイミング波形チャートが、
水平同期信号による垂直ラインデータすなわち、Ｙ方向のタイミング波形チャートが、
ピクセル・クロックチャートとともに、上半部及び下半部に分けて、同時に表示されるものであることを特徴とするデジタル画像処理検査システム。
【請求項２】
請求項１記載のデジタル画像処理装置の検査システムであって、請求項１記載の第一のウィンドウに表示される表示画像上には、水平同期信号確認ライン、すなわち経度線と垂直同期信号確認ライン、すなわち緯度線が色分けされて描画されるものであることを特徴とするデジタル画像処理検査システム。
【請求項３】
請求項１記載のデジタル画像処理検査システムであって、請求項１記載の第二のウィンドウに表示されるＸ方向のタイミング波形チャート、及びＹ方向のタイミング波形チャート上には、請求項２によって描画される緯度線と経度線の交点となる画素の座標情報にもとづいて、緯度線及び経度線と同一色による彩色よって、色分けされたカーソルが、同期信号チャート、ピクセル・クロックチャート、及び画素データ・チャートに跨線して表示されるものであることを特徴とするデジタル画像処理検査システム。
【請求項４】
請求項１記載のデジタル画像処理検査システムであって、請求項２記載の表示画像上に描画される緯度線、経度線の移動速度もしくは描画速度、およびソフトウェアによって連動するカーソルの移動速度もしくは描画速度は、外部から入力されるクロック信号、あるいはトリガーにより同期信号を制御することによって、いずれかの所望の速度に調整され、あるいは停止されるものであることを特徴とするデジタル画像処理検査システム。
【発明の詳細な説明】
【技術分野】
【０００１】  この発明はデジタル画像処理をおこなう際に用いられる手段、すなわちＤＳＰボード、ＡＳＩＣボード、あるいはグラフィックボードなどのデジタル信号処理を実行するボード、あるいはそれらを利用した装置による画像処理が正常におこなわれているか否かを検証するシステム、及びそれを備える装置に関する。
【背景技術】
【０００２】  従来から採用されてきたアナログ信号画像表示方式によるテレビ放送においても、高品位デジタル方式、いわゆるハイビジョン方式の採用などで、大画面化とともに画素数やライン数の増加が進行してきた。
加えて、現下においてはデジタル信号方式によるテレビ放送への切り替えが進行しており、これにともなってテレビ受像機とコンピュータ用モニターの画像表示方式の差異は皆無となり、テレビ画像の更なる高精細化技術も開発されつつある。
これらの高精細化傾向にあるデジタル画像データの検査装置は、蓄積されたデジタル画像データを、専用ハードウェアを介して画像処理装置に出力し、波形データのＤＣ特性に注目したアナログ的な検査や蓄積されたデジタル画像データを、専用ハードウェアを介して動作周波数を可変とし、画像処理装置に出力する動作周波数検査をおこなうなど２つの方法によって実施されている。
これらの検査方法は、図１の第二のウィンドウ３に示すようなデジタル画像データのタイミング波形のみを表示しておこなう画像検査装置である。
したがって、表示画像との対応がなされることなくデジタル画像データのタイミング波形チャートのみであるため、表示画像のエラー箇所はどのようなデータによって構成されているのかを確認することが難しく、特に画像の高精細化が進行するにしたがって画像処理装置自身の性能の検証と処理の補完は困難を極めている。
【特許文献１】特開２００５−１６７６４８号公報
【特許文献２】特開２００４−１９９５４８号公報
【特許文献３】特開２０００−０４６６５０号公報
【発明の開示】
【発明が解決しようとする課題】
【０００３】  画像の高精細化によって高度化しつつあるデジタル信号による画像処理装置の処理内容の検証を容易にして、画像処理を補完する手段を提供する。
【課題を解決するための手段】
【０００４】  同一モニター上に第一のウィンドウと第二のウィンドウを表示して、第一のウィンドウには、水平同期信号と垂直同期信号に同期して描画される緯度線と経度線を色分けして描画、第二のウィンドウには表示画像に対応するデジタル画像データのＸ方向及びＹ方向のタイミング波形チャート、すなわち、同期信号チャート、ラインデータ・チャート、ピクセル・クロック・チャート、及び画素データ・チャートを表示して、並列表示されたチャートを跨線するよう、緯度線と経度線の交点画素情報に連動し、緯度線と経度線と同一色によって彩色され、色分けされたカーソルを表示して、表示画像と、表示画像を描画する画像データのＸ、Ｙ方向のタイミング波形データを構成するチャートの相関位置を同一モニター上で確認する。
【発明の効果】
【０００５】  表示画像上に描画される緯度線と経度線の交点座標情報によって、Ｘ方向とＹ方向の画像データのタイミング波形チャート上に、色分けされたカーソルを描画して、表示画像との同期をとって、同一モニター上で対比することにより、表示画像の描画中に発生したエラー箇所や原因が、想像ではなく、目視によって明確に特定されるようになり、画像処理装置による処理のエラーチェックの効率化と処理作業の補完が図れる。
【発明を実施するための最良の形態】
【０００６】  本発明の第一の主眼は、デジタル信号による表示方式を採用した表示画像と、対応するデジタル画像データのタイミング波形チャートを同一モニター上に表示することにある。
図１はモニター１上に、表示画像を表示する第一のウィンドウ２と、対応するピクセル・クロック・チャートを含むＸ方向タイミング波形チャート、及びＹ方向タイミング波形チャートの相関位置を示す第二のウィンドウ３が同時に表示された例を示すもので、それぞれのウィンドウに表示される情報は別個のレイヤーで処理されており、任意に調整されたウィンドウ・サイズによっては、一方を前面に、他方を背面に表示して、それらを任意に選択し、所望するウィンドウを前面に表示するが、これらを同時に表示するだけでも、画像処理の検証と補完には十分に有効である。【０００７】  本発明の第二の主眼は、図２に示すが如く、第一のウィンドウ２に表示される表示画面上に垂直同期信号確認ラインすなわち経度線と、水平同期信号確認ラインすなわち緯度線を色分けして表示し、それらが交差した画素の座標情報を、ソフトウェアによって第二のウィンドウ３に、デジタル画像データのＸ方向タイミング波形チャートとＹ方向タイミング波形チャート上に、カーソル６及び７として表示する。【０００８】  Ｙ方向タイミング波形チャートには、垂直同期信号チャート８、水平同期信号チャート９、水平ラインデータ・チャート１０が平行に表示され、カーソル６はそれを跨線するよう表示される。【０００９】  Ｘ方向タイミング波形チャートには、水平同期信号チャート９、ピクセル・クロック・チャート１１、及び画素データ・チャート１２が平行して表示されるが、カーソル７はそれらを跨線するよう表示される。【００１０】  また、経度線と緯度線の移動速度もしくは描画速度と、カーソルの移動速度もしくは描画速度はソフトウェアによって連動しており、それらは垂直同期信号、及び水平同期信号、あるいは、ピクセル・クロックを外部から入力されるクロック信号に同期させ、あるいは、外部からのトリガー信号によって制御することにより、所望の速度が選択され、あるいは任意に停止されるものとする。
【実施例１】
【００１１】  本発明の実施例を図にもとづいて説明する。
図１は請求項１によって、本発明を実行するボード、あるいはそれを備える手段、例えば、パーソナル・コンピュータなどのモニター１上に、第一のウィンドウ２に表示画像を、第二のウィンドウ３には、表示画像に対応する垂直同期信号による水平ライン画素データ、すなわちＸ方向のタイミング波形チャートと、ピクセル・クロック・チャートが平行して、さらに水平同期信号による垂直ラインデータ、すなわちＹ方向のタイミングチャートを、それぞれに描画し、第一のウィンドウ２と第二のウィンドウ３を同時に表示した概略図であるが、通常はこれらのふたつのウィンドウを同一モニター上に表示するだけでも、画像処理の検証作業の効率化が図れる。【００１２】  それぞれのウィンドウに表示される範囲は、後述する垂直同期信号確認ライン、すなわち緯度線４と水平同期信号確認ライン、すなわち経度線５の交点がウィンドウの座標の範囲に収まるものであることはいうまでもない。【００１３】  これらのウィンドウに表示される画像あるいは画像データは、外部のデータ格納手段から本発明を実行するボード、あるいはそれを利用した装置に供給されるが、供給されるデータのフォーマットについては、いずれのフォーマットであっても、それぞれの内容については本発明が対象とするものではないので割愛するが、音声の波形データの検証などへの応用も考慮される。【００１４】  図２は、請求項２によって、第一のウィンドウ２に描画された表示画像上に、垂直同期信号確認ライン、すなわち緯度線４、水平同期信号確認ライン、すなわち経度線５を表示し、第二のウィンドウに表示されるタイミング波形チャート上には、前記緯度線と前記経度線の交点となった画素の座標情報、すなわち、Ｙ座標、Ｘ座標をソフトウェアによって、それぞれに連動するようＹ方向カーソル６及びＸ方向カーソル７を描画し、それらの連動を明確にするために、連動する緯度線、あるいは経度線と、連動するカーソルは同一色によって彩色、色分けをされて表示されることを示す。
上記に記載したカーソルとは、計算尺に使用されるカーソルのごとく、複数の数直線をブリッジするものである。【００１５】  図３は、図２によって示された第二のウィンドウの詳細図であって、上段には垂直同期信号チャート８、水平同期信号チャート９、水平ラインデータ・チャート１０が平行して描画され、下段には上段のカーソル６が位置するライン部の水平同期信号チャート９、ピクセル・クロック・チャート１１、画素データ・チャート１２が平行して描画される。【００１６】  カーソル６は垂直同期信号チャート８、水平同期信号チャート９、水平ラインデータ・チャート１０を跨線するよう１ライン分が表示され、カーソル７は水平同期信号チャート９、ピクセル・クロック・チャート１１、画素データ・チャート１２を跨線するよう表示されるが、その際の幅、すなわち、同時に彩色されるビット数は、画素が有する情報が８ビットであれば、８ビット分を同時に彩色される。【００１７】  また、前項の如くカーソルを跨線することなく、水平ラインデータ・チャート１０、及び画素データ・チャート１２のみを彩色するだけでもよい。【００１８】  請求項４については、特に図示はしないが、垂直同期信号確認ライン、すなわち緯度線４、水平同期信号確認ライン、すなわち経度線５と、それぞれに同期を取ったカーソル６及び７の移動速度、もしくは描画速度、あるいは、表示される画像の、単位時間当たりのフレーム数の選択は、外部から供給されるクロックと同期させて実行されるか、あるいは外部からのトリガーによって本システムが作動するボードのクロックを制御して実行するかは、任意の操作によってなされるものとする。
【産業上の利用可能性】
【００１９】  テレビ放送に使用される画像表示方式は、ＮＴＳＣ方式やＰＡＬ方式などのアナログ方式から高品位デジタル方式に移行しつつあるが、現下のデジタル画像を構成する画素が有するＲＧＢ情報はそれぞれ８ｂｉｔであり、今後は画像サイズばかりでなく，一つの画素が有するＲＧＢ情報もそれぞれ１６ｂｉｔとなることが確実である。この高精細化する画像情報を処理する装置、例えば、ＤＳＰボード、ＡＳＩＣボード、グラフィックボードなどの情報処理ボード、あるいはそれらを内蔵した装置の画像処理機能も高度化し、これらの装置による画像処理結果をデバッグする画像処理検査装置も高機能化されたものが要求される。
本発明はこの高度精細化、大容量化される画像の処理を実行する処理ボード、あるいはそれらを利用した装置から出力される処理結果の検証と補完の効率化を図るものである。
【図面の簡単な説明】
【００２０】
【図１】同一モニター上に、表示画像を描画した第一のウィンドウとデジタル画像データのタイミング波形チャートを描画した第二のウィンドウを同時に表示した例を示す図である。（実施例１）
【図２】第一のウィンドウには緯度線と経度線を、第二のウィンドウにはカーソルを描画した例を示す図である。（実施例１）
【図３】図２の詳細図である。（実施例１）
【符号の説明】
【００２１】  １  モニター
２  表示画像を描画するための第一のウィンドウ
３  デジタル画像データのタイミング波形チャートを描画する第二のウィンドウ
４  垂直同期信号確認ラインあるいは緯度線
５  水平同期信号確認ラインあるいは経度線
６  垂直同期信号確認ラインあるいは緯度線に同期したカーソル
７  水平同期信号確認ラインあるいは経度線に同期したカーソル
８  垂直同期信号チャート
９  水平同期信号チャート
１０  ラインデータ・チャート
１１  ピクセル・クロック・チャート
１２  画素データ・チャート
【図１】
2008109600.tif 000003
【図２】
2008109600.tif 000004
【図３】
2008109600.tif 000005